(57)【要約】【課題】発光部から発せられた光を高精度に検出でき、且つ、発光部の消費電力を低減することができる技術を提供する。【解決手段】本発明の表示装置は、発光手段と、表示手段と、発光手段から発せられた光を検出する第１検出手段と、表示装置の外光の明るさを検出する第２検出手段と、入力画像データに基づいて、外光が表示手段を透過する際の透過率である外光透過率を決定する第１決定手段と、第２検出手段の検出値と第１決定手段で決定された外光透過率とに基づいて、第１検出手段の検出値に対する外光の影響度合いを決定する第２決定手段と、第２決定手段で決定された影響度合いが閾値以下の場合に、入力画像データのフレーム間に黒画像のフレームを挿入せずに、第２決定手段で決定された影響度合いが閾値より大きい場合に、入力画像データのフレーム間に黒画像のフレームを挿入する黒挿入手段と、を有する。【選択図】図２
2015121716.tif 000002
【特許請求の範囲】
【請求項１】
発光手段と、
前記発光手段から発せられた光を画像データに応じた透過率で透過させることで画面に画像を表示する表示手段と、
を有する表示装置であって、
前記発光手段から発せられた光を検出する第１検出手段と、
前記表示装置の外光の明るさを検出する第２検出手段と、
入力画像データに基づいて、外光が前記表示手段を透過する際の透過率である外光透過率を決定する第１決定手段と、
前記第２検出手段の検出値と前記第１決定手段で決定された外光透過率とに基づいて、前記第１検出手段の検出値に対する外光の影響度合いを決定する第２決定手段と、
前記第２決定手段で決定された前記影響度合いが閾値以下の場合に、前記入力画像データのフレーム間に黒画像のフレームを挿入せずに、前記第２決定手段で決定された前記影響度合いが閾値より大きい場合に、前記入力画像データのフレーム間に黒画像のフレームを挿入する黒挿入手段と、
を有することを特徴とする表示装置。
【請求項２】
前記第１検出手段の検出値が目標値と一致するように前記発光手段の発光を制御する制御手段をさらに有する
ことを特徴とする請求項１に記載の表示装置。
【請求項３】
前記制御手段は、黒画像のフレームが挿入されている期間における前記第１検出手段の検出値が第１の目標値と一致し、黒画像のフレームが挿入されていない期間における前記第１検出手段の検出値が前記第１の目標値と異なる第２の目標値と一致するように、前記発光手段の発光を制御する
ことを特徴とする請求項２に記載の表示装置。
【請求項４】
前記第１検出手段の検出値の目標値を決定する第３決定手段と、
前記第３決定手段で決定された前記目標値が大きいほど大きい値を、前記影響度合いの前記閾値として決定する第４決定手段と、
をさらに有する
ことを特徴とする請求項２または３に記載の表示装置。
【請求項５】
前記外光は、画像データの明るさが明るいほど高い透過率で前記表示手段を透過し、
前記第１決定手段は、前記画像データの明るさが明るいほど高い値を、前記外光透過率として決定する
ことを特徴とする請求項１〜４のいずれか１項に記載の表示装置。
【請求項６】
前記第２決定手段は、前記第２検出手段の検出値と前記第１決定手段で決定された外光透過率との積が大きいほど大きい値を、前記影響度合いとして決定する
ことを特徴とする請求項１〜５のいずれか１項に記載の表示装置。
【請求項７】
前記表示手段は、前記発光手段から発せられた光が画像データの画素値に応じた透過率で透過する複数の表示素子を有し、
前記第１決定手段は、
前記表示素子毎に、その表示素子に対する前記入力画像データの画素値に基づいて、外光が当該表示素子を透過する際の透過率である画素外光透過率を決定し、
前記表示素子毎の画素外光透過率の代表値を前記外光透過率として決定する
ことを特徴とする請求項１〜６のいずれか１項に記載の表示装置。
【請求項８】
前記第１決定手段は、前記第１検出手段からの距離が所定値以下の範囲内に存在する２つ以上の表示素子の画素外光透過率の代表値を、前記外光透過率として決定する
ことを特徴とする請求項７に記載の表示装置。
【請求項９】
前記入力画像データのフレーム間に補間フレームを生成することにより、前記入力画像データのフレームレートを高めるフレームレート変換手段をさらに有し、
前記黒挿入手段は、前記第２決定手段で決定された影響度合いが閾値より大きい場合に、前記補間フレームの画像データを黒画像のデータに置換する
ことを特徴とする請求項１〜８のいずれか１項に記載の表示装置。
【請求項１０】
前記第１検出手段は、前記補間フレームが表示されている期間に、前記発光手段から発せられた光を検出する
ことを特徴とする請求項９に記載の表示装置。
【請求項１１】
発光手段と、
前記発光手段から発せられた光を画像データに応じた透過率で透過させることで画面に画像を表示する表示手段と、
前記発光手段から発せられた光を検出する第１検出手段と、
前記表示装置の外光の明るさを検出する第２検出手段と、
を有する表示装置の制御方法であって、
入力画像データに基づいて、外光が前記表示手段を透過する際の透過率である外光透過率を決定する第１決定ステップと、
前記第２検出手段の検出値と前記第１決定ステップで決定された外光透過率とに基づいて、前記第１検出手段の検出値に対する外光の影響度合いを決定する第２決定ステップと、
前記第２決定ステップで決定された前記影響度合いが閾値以下の場合に、前記入力画像データのフレーム間に黒画像のフレームを挿入せずに、前記第２決定ステップで決定された前記影響度合いが閾値より大きい場合に、前記入力画像データのフレーム間に黒画像のフレームを挿入する黒挿入ステップと、
を有することを特徴とする表示装置の制御方法。
【請求項１２】
前記第１検出手段の検出値が目標値と一致するように前記発光手段の発光を制御する制御ステップをさらに有する
ことを特徴とする請求項１１に記載の表示装置の制御方法。
【請求項１３】
前記制御ステップでは、黒画像のフレームが挿入されている期間における前記第１検出手段の検出値が第１の目標値と一致し、黒画像のフレームが挿入されていない期間における前記第１検出手段の検出値が前記第１の目標値と異なる第２の目標値と一致するように、前記発光手段の発光を制御する
ことを特徴とする請求項１２に記載の表示装置の制御方法。
【請求項１４】
前記第１検出手段の検出値の目標値を決定する第３決定ステップと、
前記第３決定ステップで決定された前記目標値が大きいほど大きい値を、前記影響度合いの前記閾値として決定する第４決定ステップと、
をさらに有する
ことを特徴とする請求項１２または１３に記載の表示装置の制御方法。
【請求項１５】
前記外光は、画像データの明るさが明るいほど高い透過率で前記表示手段を透過し、
前記第１決定ステップでは、前記画像データの明るさが明るいほど高い値を、前記外光
透過率として決定する
ことを特徴とする請求項１１〜１４のいずれか１項に記載の表示装置の制御方法。
【請求項１６】
前記第２決定ステップでは、前記第２検出手段の検出値と前記第１決定ステップで決定された外光透過率との積が大きいほど大きい値を、前記影響度合いとして決定する
ことを特徴とする請求項１１〜１５のいずれか１項に記載の表示装置の制御方法。
【請求項１７】
前記表示手段は、前記発光手段から発せられた光が画像データの画素値に応じた透過率で透過する複数の表示素子を有し、
前記第１決定ステップでは、
前記表示素子毎に、その表示素子に対する前記入力画像データの画素値に基づいて、外光が当該表示素子を透過する際の透過率である画素外光透過率を決定し、
前記表示素子毎の画素外光透過率の代表値を前記外光透過率として決定する
ことを特徴とする請求項１１〜１６のいずれか１項に記載の表示装置の制御方法。
【請求項１８】
前記第１決定ステップでは、前記第１検出手段からの距離が所定値以下の範囲内に存在する２つ以上の表示素子の画素外光透過率の代表値を、前記外光透過率として決定する
ことを特徴とする請求項１７に記載の表示装置の制御方法。
【請求項１９】
前記入力画像データのフレーム間に補間フレームを生成することにより、前記入力画像データのフレームレートを高めるフレームレート変換ステップをさらに有し、
前記黒挿入ステップでは、前記第２決定ステップで決定された影響度合いが閾値より大きい場合に、前記補間フレームの画像データを黒画像のデータに置換する
ことを特徴とする請求項１１〜１８のいずれか１項に記載の表示装置の制御方法。
【請求項２０】
前記第１検出手段は、前記補間フレームが表示されている期間に、前記発光手段から発せられた光を検出する
ことを特徴とする請求項１９に記載の表示装置の制御方法。
【請求項２１】
請求項１１〜２０のいずれか１項に記載の表示装置の制御方法の各ステップをコンピュータに実行させることを特徴とするプログラム。
【発明の詳細な説明】
【技術分野】
【０００１】
本発明は、表示装置、表示装置の制御方法、及び、プログラムに関する。
【背景技術】
【０００２】
従来、表示装置として、バックライトと、バックライトからの光を透過させることで画面に画像を表示する液晶パネルと、を有する液晶表示装置が知られている。バックライトの発光素子としては、例えば、ＬＥＤ（Ｌｉｇｈｔ  Ｅｍｉｔｔｉｎｇ  Ｄｉｏｄｅ）、ＣＣＦＬ（Ｃｏｌｄ  Ｃａｔｈｏｄｅ  Ｆｌｕｏｒｅｓｃｅｎｔ  Ｌａｍｐ）、ＯＬＥＤ（Ｏｒｇａｎｉｃ  Ｌｉｇｈｔ  Ｅｍｉｔｔｉｎｇ  Ｄｉｏｄｅ）、などが使用される。これらの発光素子は、温度に依って発光輝度が変化する温度特性、長期使用に伴う経年劣化によって発光輝度が変化する劣化特性、などの特性を有する。そのため、バックライトの発光輝度や発光色は、バックライトの温度、バックライトの経年劣化の度合い、などに依って変化してしまう。
【０００３】
そこで、表示装置内に設けられたＢＬ光センサを用いてバックライトから発せられた光を検出し、ＢＬ光センサの検出値が目標値と一致するようにバックライトの発光をフィードバック制御する技術が提案されている。
このとき、ＢＬ光センサでは、バックライトから発せられた光と液晶パネルに照射され液晶パネルを透過した外光との合成光が検出されてしまうことがある。しかし、一般的な液晶パネルの光利用効率は数％程度であり、上記合成光において、バックライトから発せられた光に対する外光の割合は微小であるため、ＢＬ光センサの検出値に対する外光の影響を無視しても問題は無い。ここで、液晶パネルの光利用効率は、液晶パネルを透過する前の光に対する、液晶パネルを透過した後の光の割合である。
【０００４】
昨今、光利用効率が高い表示パネルが普及し始めている。例えば、ＭＥＭＳ（Ｍｉｃｒｏ  Ｅｌｅｃｔｒｏ  Ｍｅｃｈａｎｉｃａｌ  Ｓｙｓｔｅｍ）シャッタ方式パネルの光利用効率は、６０〜８０％程度と非常に高い。
ＭＥＭＳシャッタ方式パネルを有する表示装置では、必要となるバックライトの発光輝度が、液晶パネルを有する表示装置に比べ１／１２０〜１／４０倍程度に低下する。そのため、ＭＥＭＳシャッタ方式パネルを有する表示装置では、液晶パネルを有する表示装置よりもバックライトの消費電力を低減することができる。
しかしながら、ＭＥＭＳシャッタ方式パネルを有する表示装置では、表示パネルを透過する外光が、液晶パネルを有する表示装置に比べ２５〜５０倍程度に増加してしまう。そのため、ＢＬ光センサで検出された合成光において、バックライトから発せられた光に対する外光の割合が非常に大きくなってしまい、バックライトから発せられた光を高精度に検出することができなくなってしまう。その結果、フィードバック制御を高精度に行えなくなってしまう。換言すれば、適切なフィードバック制御が行えなくなってしまう。
このような課題は、ＭＥＭＳシャッタ方式パネルを有する表示装置に限らず、光利用効率が高い表示パネルに用いた表示装置で発生する。例えば、ＦＳＣ（Ｆｉｅｌｄ  Ｓｅｑｕｅｎｔｉａｌ  Ｃｏｌｏｒ）方式の液晶パネルを有する表示装置でも上記課題は発生する。
【０００５】
上記課題を解決するための方法として、表示対象の画像データ（表示画像データ）のフレーム間に黒画像のフレームを挿入し（黒挿入）、黒画像の表示期間中にＢＬ光センサを用いた光検出を行う方法が提案されている。
黒画像の表示期間中には、表示パネルの各表示素子の開口率が低くなるため、表示パネルを透過する外光が減少する。従って、黒画像の表示期間中には、ＢＬ光センサで検出さ
れた合成光において、バックライトから発せられた光に対する外光の割合が低減する。そのため、黒画像の表示期間中にＢＬ光センサを用いた光検出を行えば、バックライトから発せられた光を高精度に検出することができ、適切なフィードバック制御を行うことができる。
しかしながら、黒挿入を行うことによって、表示画像データの表示輝度（画面上の輝度）が低下してしまため、黒挿入を行う場合には、黒挿入を行わない場合に比べバックライトの発光輝度を高める必要がある。そのため、黒挿入を行う場合には、黒挿入を行わない場合に比べ、バックライトの消費電力が増加してしまう。
【０００６】
外光が明るい場合には、ＢＬ光センサの検出値に対する外光の影響度合いは小さいため、黒挿入を行う必要がある。しかしながら、外光が暗い場合や表示画像データの明るさが暗い場合には、ＢＬ光センサの検出値に対する外光の影響度合いは小さいため、黒挿入を行わなくても発光部（バックライト）からの光を高精度に検出することができる。そのため、外光が暗い場合や表示画像データの明るさが暗い場合に黒挿入を行うと、黒挿入による表示輝度の変化を抑制するために電力が無駄に消費されてしまう。
【０００７】
特許文献１には、外光センサを用いて外光の明るさを検出し、外光センサの検出値に応じて黒画像を表示する期間の長さを変える技術が開示されている。
特許文献２には、外光センサを用いて外光の明るさを検出し、外光センサの検出値に応じて黒画像と白画像のいずれかを選択し、選択した画像を表示する技術が開示されている。
【０００８】
しかしながら、特許文献１，２に開示の技術では、黒画像の表示に関する判断において外光の明るさしか考慮されておらず、表示画像データの明るさについては考慮されていない。そのため、特許文献１，２に開示の技術を用いたとしても、表示画像データの明るさが暗い場合に黒挿入が行われてしまい、電力が無駄に消費されてしまう。
【先行技術文献】
【特許文献】
【０００９】
【特許文献１】特開２０１０−１９１１８９号公報
【特許文献２】特開２００９−２４４８３８号公報
【発明の概要】
【発明が解決しようとする課題】
【００１０】
本発明は、発光部から発せられた光を高精度に検出でき、且つ、発光部の消費電力を低減することができる技術を提供することを目的とする。
【課題を解決するための手段】
【００１１】
本発明の第１の態様は、
発光手段と、
前記発光手段から発せられた光を画像データに応じた透過率で透過させることで画面に画像を表示する表示手段と、
を有する表示装置であって、
前記発光手段から発せられた光を検出する第１検出手段と、
前記表示装置の外光の明るさを検出する第２検出手段と、
入力画像データに基づいて、外光が前記表示手段を透過する際の透過率である外光透過率を決定する第１決定手段と、
前記第２検出手段の検出値と前記第１決定手段で決定された外光透過率とに基づいて、前記第１検出手段の検出値に対する外光の影響度合いを決定する第２決定手段と、
前記第２決定手段で決定された前記影響度合いが閾値以下の場合に、前記入力画像デー
タのフレーム間に黒画像のフレームを挿入せずに、前記第２決定手段で決定された前記影響度合いが閾値より大きい場合に、前記入力画像データのフレーム間に黒画像のフレームを挿入する黒挿入手段と、
を有することを特徴とする表示装置である。
【００１２】
本発明の第２の態様は、
発光手段と、
前記発光手段から発せられた光を画像データに応じた透過率で透過させることで画面に画像を表示する表示手段と、
前記発光手段から発せられた光を検出する第１検出手段と、
前記表示装置の外光の明るさを検出する第２検出手段と、
を有する表示装置の制御方法であって、
入力画像データに基づいて、外光が前記表示手段を透過する際の透過率である外光透過率を決定する第１決定ステップと、
前記第２検出手段の検出値と前記第１決定ステップで決定された外光透過率とに基づいて、前記第１検出手段の検出値に対する外光の影響度合いを決定する第２決定ステップと、
前記第２決定ステップで決定された前記影響度合いが閾値以下の場合に、前記入力画像データのフレーム間に黒画像のフレームを挿入せずに、前記第２決定ステップで決定された前記影響度合いが閾値より大きい場合に、前記入力画像データのフレーム間に黒画像のフレームを挿入する黒挿入ステップと、
を有することを特徴とする表示装置の制御方法である。
【００１３】
本発明の第３の態様は、上述した表示装置の制御方法の各ステップをコンピュータに実行させることを特徴とするプログラムである。
【発明の効果】
【００１４】
本発明によれば、発光部から発せられた光を高精度に検出でき、且つ、発光部の消費電力を低減することができる。
【図面の簡単な説明】
【００１５】
【図１】実施例１に係る表示装置の大まかな構成を示す図
【図２】実施例１に係る表示装置の構成を示すブロック図
【図３】実施例１に係る透過率決定テーブルの一例を示す図
【図４】実施例１に係る影響度合い決定テーブルの一例を示す図
【図５】実施例１に係る表示装置の動作の一例を示すフローチャート
【図６】実施例２に係る表示装置の構成を示すブロック図
【図７】実施例２に係る表示装置の動作の一例を示すフローチャート
【発明を実施するための形態】
【００１６】
＜実施例１＞
以下に、本発明の実施例１に係る表示装置及びその制御方法について説明する。
なお、以下では、本実施例に係る表示装置が、ＭＥＭＳ（Ｍｉｃｒｏ  Ｅｌｅｃｔｒｏ
Ｍｅｃｈａｎｉｃａｌ  Ｓｙｓｔｅｍ）シャッタ方式パネルを有する表示装置である場合の例を説明するが、本実施例に係る表示装置はこれに限らない。本実施例に係る表示装置は、発光部からの光を画像データに応じた透過率で透過することで画面に画像を表示する表示装置であればよい。例えば、表示素子として、ＭＥＭＳシャッタの代わりに液晶素子を有する表示パネルが使用されてもよい。即ち、本実施例に係る表示装置は、透過型の液晶表示装置であってもよい。具体的には、本実施例に係る表示装置は、ＦＳＣ（Ｆｉｅｌｄ  Ｓｅｑｕｅｎｔｉａｌ  Ｃｏｌｏｒ）方式の液晶パネルを有する表示装置であって
もよい。
【００１７】
本実施例に係る表示装置では、表示装置内に設けられたＢＬ光センサを用いて発光部（バックライト）から発せられた光が検出され、ＢＬ光センサの検出値が目標値と一致するように発光部の発光がフィードバック制御される。但し、表示装置の外光は表示パネルを透過することがあるため、ＢＬ光センサでは、バックライトから発せられた光と表示パネルを透過した外光との合成光が検出されることがある。
また、本実施例に係る表示装置では、外光センサを用いて外光の明るさが検出され、入力画像データ（表示装置に入力された画像データ）と外光センサの検出値とに基づいて、ＢＬ光センサの検出値に対する外光（表示装置の外光）の影響度合いが算出される。そして、算出された影響度合いに基づいて、入力画像データのフレーム間に黒画像のフレームを挿入する黒挿入を行うか否かが判断される。
【００１８】
黒画像の表示期間中には、表示パネルの各表示素子の開口率が低くなるため、表示パネルを透過する外光が減少する。従って、黒画像の表示期間中には、ＢＬ光センサで検出された合成光において、バックライトから発せられた光に対する外光の割合が低減する。そのため、黒画像の表示期間中にＢＬ光センサを用いた光検出を行えば、バックライトから発せられた光を高精度に検出することができ、適切な（高精度な）フィードバック制御を行うことができる。
しかしながら、黒挿入を行うことによって、入力画像データの表示輝度（画面上の輝度）が低下してしまため、黒挿入を行う場合には、黒挿入を行わない場合に比べバックライトの発光輝度を高める必要がある。そのため、黒挿入を行う場合には、黒挿入を行わない場合に比べ、バックライトの消費電力が増加してしまう。
【００１９】
外光が明るい場合には、ＢＬ光センサの検出値に対する外光の影響度合いは小さいため、黒挿入を行う必要がある。しかしながら、外光が暗い場合や入力画像データの明るさが暗い場合には、ＢＬ光センサの検出値に対する外光の影響度合いは小さいため、黒挿入を行わなくてもバックライトからの光を高精度に検出することができる。そのため、外光が暗い場合や入力画像データの明るさが暗い場合に黒挿入を行うと、黒挿入による表示輝度の変化を抑制するために電力が無駄に消費されてしまう。
【００２０】
上述したように、本実施例では、外光の明るさと入力画像データの明るさとの両方を考慮して黒挿入を行うか否かが判断される。それにより、本実施例では、バックライトから発せられた光を高精度に検出でき、且つ、バックライトの消費電力を低減することができる。具体的には、外光の明るさと入力画像データの明るさとの両方を考慮することにより、黒挿入を行わなくてもバックライトからの光を高精度に検出可能か否かを高精度に判断することができる。そして、黒挿入を行わなくてもバックライトからの光を高精度に検出可能な場合において、黒挿入を行わないことにより消費電力を低減することができる。また、黒挿入を行わなければバックライトからの光を高精度に検出できない場合において、黒挿入を行うことによりバックライトからの光を高精度に検出することができる。
【００２１】
図１は、本実施例に係る表示装置の大まかな構成を示す図である。
なお、図１では、処理回路等は省略されている。
【００２２】
外光センサ１００は、表示装置の外光の明るさを検出する（第２検出）。外光センサ１００は、例えば、表示装置の外周面上に設けられている。図１の例では、外光センサ１００は、表示装置の外側に検出面が配置されるように、ベゼル１０１に設けられている。このような位置に外光センサ１００を配置することで、表示パネル１０２に照射される外光の明るさに相当する検出値を得ることができる。なお、外光センサ１００では、外光の色がさらに検出されてもよい。
【００２３】
表示パネル１０２は、バックライト１０４から発せられた光を画像データに応じた透過率で透過させることで画面に画像を表示する表示部である。本実施例では、表示パネル１０２は、バックライト１０４から発せられ光学フィルムを透過した光を画像データに応じた透過率で透過させる。表示パネル１０２は、バックライト１０４から発せられた光が画像データに応じた透過率で透過する複数の表示素子を有する。上述したように、本実施例では、表示パネル１０２は、表示素子としてＭＥＭＳシャッタを有するＭＥＭＳシャッタ方式パネルである。
【００２４】
光学フィルム１０３は、バックライト１０４から発せられた光を拡散させ、透過させる。
【００２５】
バックライト１０４は、光を発する発光部である。バックライト１０４は、１つ以上の発光素子を有する。発光素子としては、例えば、ＬＥＤ（Ｌｉｇｈｔ  Ｅｍｉｔｔｉｎｇ
Ｄｉｏｄｅ）、ＣＣＦＬ（Ｃｏｌｄ  Ｃａｔｈｏｄｅ  Ｆｌｕｏｒｅｓｃｅｎｔ  Ｌａｍｐ）、ＯＬＥＤ（Ｏｒｇａｎｉｃ  Ｌｉｇｈｔ  Ｅｍｉｔｔｉｎｇ  Ｄｉｏｄｅ）、などを用いることができる。バックライト１０４（各発光素子）の発光は、ＢＬ光センサ１０５の検出値が目標値と一致するようにフィードバック制御される。例えば、ＢＬ光センサ１０５の検出値が目標値と一致するように、バックライト１０４の発光輝度、発光色、または、その両方が制御される。
【００２６】
ＢＬ光センサ１０５は、バックライト１０４から発せられた光を検出する（第１検出）。ＢＬ光センサ１０５は、例えば、表示装置の内部に設けられている。図１の例では、ＢＬ光センサ１０５は、バックライト１０４に設けられている。ＢＬ光センサ１０５では、例えば、バックライト１０４から発せられた光の明るさ、色、または、その両方が検出される。本実施例では、ＢＬ光センサ１０５がバックライト１０４から発せられた光の輝度（バックライト１０４の発光輝度）を検出する例を説明する。そして、本実施例では、ＢＬ光センサ１０５の検出値が目標値と一致するようにバックライト１０４の発光輝度が制御される例を説明する。
【００２７】
図２は、本実施例に係る表示装置２００の構成を示すブロック図である。
なお、図２ではベゼル１０１と光学フィルム１０３は省略されている。
【００２８】
ＩＦ部２０１は、不図示の画像データ源（外部装置）から出力された画像データを受信する受信インターフェースである。ＩＦ部２０１は、受信した画像データ（入力画像データ）をＦＲＣ部２０２に出力する。
【００２９】
ＦＲＣ部２０２は、ＩＦ部２０１から取得した入力画像データに対しＦＲＣ（Ｆｒａｍｅ  Ｒａｔｅ  Ｃｏｎｖｅｒｓｉｏｎ；フレームレート変換）処理を行う。ＦＲＣ処理は、入力画像データのフレーム間に補間フレームを生成することにより、入力画像データのフレームレートを高める処理である。ＦＲＣ部２０２は、ＦＲＣ処理が施された画像データを画像処理部２０３へ出力する。
なお、ＦＲＣ処理は本発明の趣旨ではないので、その詳細な説明は省略する。
【００３０】
画像処理部２０３は、ＦＲＣ部２０２から取得した画像データ（ＦＲＣ処理が施された画像データ）に対し、所定の画像処理を施す。所定の画像処理は、例えば、エンハンサ補正処理、クロマ補正処理、ガンマ補正処理、記憶色補正処理、などである。所定の画像処理として、１種類の画像処理が行われてもよいし、複数種類の画像処理が行われてもよい。画像処理部２０３は、所定の画像処理が施された画像データを黒挿入部２０４と外光透過率決定部２０６へ出力する。
なお、上記所定の画像処理は本発明の趣旨ではないので、その詳細な説明は省略する。
なお、上記所定の画像処理は行われなくてもよい。
【００３１】
外光透過率決定部２０６は、入力画像データに基づいて、外光が表示パネル２０５を透過する際の透過率である外光透過率を決定する（第１決定）。本実施例では、外光透過率決定部２０６は、画像処理部２０３から取得した画像データのフレーム毎に、そのフレームが表示されたときの外光透過率を決定する。そして、外光透過率決定部２０６は、決定した外光透過率を影響度合い決定部２０８へ出力する。
外光透過率の決定方法の詳細については後述する。
【００３２】
外光センサ２０７は、上述した外光センサ１００である。外光センサ２０７は、外光の明るさの検出値（外光検出値）を影響度合い決定部２０８へ出力する。
【００３３】
影響度合い決定部２０８は、外光センサ２０７から取得した外光検出値と外光透過率決定部２０６から取得した外光透過率とに基づいて、ＢＬ光センサ２１０の検出値（ＢＬ光検出値）に対する外光の影響度合いを決定する（第２決定）。そして、影響度合い決定部２０８は、決定した影響度合いを黒挿入実施判断部２０９へ出力する。
外光影響量の決定方法の詳細については後述する。
【００３４】
黒挿入実施判断部２０９は、影響度合い決定部２０８から取得した影響度合いに基づいて、黒挿入の要否を判断する。具体的には、黒挿入実施判断部２０９は、影響度合いが要否判断閾値より大きい場合に、黒挿入が必要であると判断し、影響度合いが要否判断閾値以下の場合に、黒挿入が不要であると判断する。要否判断閾値は、影響度合いを用いて黒挿入の要否を判断するための指標である。
黒挿入実施判断部２０９は、黒挿入が必要である判断した場合に、黒挿入部２０４に黒挿入実施要求を出力し、バックライト制御部２１１に黒挿入実施通知を出力する。そして、黒挿入実施判断部２０９は、黒挿入が不要であると判断した場合に、黒挿入部２０４に黒挿入非実施要求を出力し、バックライト制御部２１１に黒挿入非実施通知を出力する。
なお、要否判断閾値は、メーカ等によって予め定められた固定値であってもよいし、ユーザが変更可能な値であってもよい。また、本実施例では、要否判定閾値が１６である場合の例を説明するが、要否判定閾値は１６より大きくても小さくてもよい。
【００３５】
黒挿入部２０４は、黒挿入実施判断部２０９から黒挿入実施要求を取得した場合に、画像処理部２０３から取得した画像データに黒挿入を施し、黒挿入後の画像データを表示パネル２０５に出力する。具体的には、ＦＲＣ部２０２におけるＦＲＣ処理によって生成された補間フレームの画像データが、黒画像のデータ（黒画像データ）に置換され、表示パネル２０５に出力される。上記置換により、入力画像データのフレーム間に黒画像のフレームが挿入される。
また、黒挿入部２０４は、黒挿入実施判断部２０９から黒挿入非実施要求を取得した場合には、画像処理部２０３から取得した画像データを何も処理を施さずに表示パネル２０５へ出力する。即ち、黒挿入実施判断部２０９から黒挿入非実施要求を取得した場合には、入力画像データのフレーム間に黒画像のフレームは挿入されない。
入力画像データのフレームであるオリジナルフレームの画像データは、何も処理を施されずに、表示パネル２０５へ出力される。
なお、本実施例では、入力画像データのフレーム間に補間フレームを生成した後に、補間フレームの画像データを黒画像データに置換する例を説明するが、この構成に限らない。黒挿入が不要であると判断されているときに、入力画像データのフレーム間に黒画像のフレームが挿入されず、黒挿入が必要であると判断されているときに、入力画像データのフレーム間に黒画像のフレームが挿入されればよい。例えば、入力画像データにＦＲＣ処理が施されずに、黒挿入が必要であると判断された場合に入力画像データのフレーム間に
黒画像のフレーム（補間フレーム）が挿入されてもよい。そして、黒画像のフレームが挿入されている期間とそれ以外の期間とでフレームレートが互いに異なる画像データに入力画像データが変換されてもよい。但し、ＦＲＣ処理を行えば、一定のフレームレートで画像データを表示することができるため、画像データに応じた表示パネル２０５の透過率の制御などを含む表示制御を簡略化することができる。
【００３６】
表示パネル２０５は、上述した表示パネル１０２である。表示パネル２０５は、バックライト２１２から発せられた光を、黒挿入部２０４から取得した画像データに応じた透過率で透過させる。
【００３７】
ＢＬ光センサ２１０は、上述したＢＬ光センサ１０５である。ＢＬ光センサ２１０は、ＦＲＣ部２０２におけるＦＲＣ処理によって生成された補間フレームが表示パネル２０５に表示されている期間に、バックライト２１２の発光輝度を検出する。そして、ＢＬ光センサ２１０は、バックライト２１２の発光輝度の検出値（ＢＬ光検出値）をバックライト制御部２１１に出力する。
なお、黒挿入実施判断部２０９において黒挿入が不要であると判断されているときには、オリジナルフレームの表示期間に、バックライト２１２から発せられた光が検出されてもよい。
【００３８】
バックライト制御部２１１は、ＢＬ光センサ２１０から取得したＢＬ光検出値が目標値と一致するように、バックライト２１２の発光輝度を制御する。目標値は、例えば、ＢＬ光検出値に対する外光の影響が少ない（無い）環境下で予め取得されたＢＬ光検出値である。本実施例では、目標値は、ＢＬ光検出値に対する外光の影響が少ない（無い）環境下で所望の表示輝度が実現されたときに取得されたＢＬ光検出値である場合の例を説明する。
上述したように、黒挿入を行うことにより表示輝度は変化（低下）する。そのため、本実施例では、目標値として、黒画像のフレームが挿入されている期間に対応する第１の目標値、及び、黒画像のフレームが挿入されていない期間に対応する第２の目標値が使用される。具体的には、バックライト制御部２１１は、黒挿入実施判断部２０９から黒挿入実施通知を取得した場合に、現期間が黒画像のフレームが挿入されている期間であると判断する。そして、バックライト制御部２１１は、黒画像のフレームが挿入されている期間では、その期間に取得されたＢＬ光検出値が第１の目標値と一致するように、バックライト２１２の発光輝度を制御する。また、バックライト制御部２１１は、黒挿入実施判断部２０９から黒挿入非実施通知を取得した場合に、現期間が黒画像のフレームが挿入されていない期間であると判断する。そして、バックライト制御部２１１は、黒画像のフレームが挿入されていない期間では、その期間に取得されたＢＬ光検出値が第２の目標値と一致するように、バックライト２１２の発光輝度を制御する。第２の目標値は、第１の目標値とは異なる値であり、例えば、第１の目標値よりも高い値である。
なお、目標値は、メーカによって定められた固定値であってもよいし、入力画像データの明るさに基づいて設定される値であってもよいし、ユーザが変更可能な値であってもよい。
なお、バックライト２１２の発光輝度の制御方法は特に限定されない。例えば、発光素子に供給する信号（電圧や電流）の大きさ、供給時間、または、その両方を制御することにより、バックライト２１２の発光輝度を制御することができる。また、バックライト２１２の発光色の制御方法も特に限定されない。例えば、バックライト２１２が有する複数の発光素子（発光色が互いに異なる複数の発光素子）の発光輝度を制御して、発光素子間の発光輝度の比を制御することにより、バックライト２１２の発光色を制御することができる。
【００３９】
バックライト２１２は、上述したバックライト１０４である。
【００４０】
次に、本実施例に係る外光透過率の決定方法について説明する。
上述したように、外光透過率は、外光が表示パネル１０２を透過する際の透過率である。なお、表示パネル１０２と光学フィルム１０３の組み合わせを表示パネルとして用いてもよい。その場合には、外光が表示パネル１０２と光学フィルム１０３を透過する際の透過率が、外光透過率となる。
また、上述したように、外光透過率は、画像処理部２０３から取得した画像データのフレーム毎に決定される。
【００４１】
まず、外光透過率決定部２０６は、外光透過率を決定する処理の対象のフレームである対象フレームの画像データ（画像処理部２０３から取得した画像データ）に基づいて、開口率情報を生成する。開口率情報は、対象フレームを表示する際の各表示素子の開口率を示す情報である。外光透過率決定部２０６は、表示素子毎に、その表示素子に対する画素値（対象フレームの画像データの画素値）に応じて、当該表示素子の開口率を決定する。外光透過率決定部２０６は、画素値と開口率の対応関係を示す情報（関数やテーブル）を記憶しており、当該情報を用いて各表示素子の開口率を決定する。
【００４２】
次に、外光透過率決定部２０６は、表示素子毎に、その表示素子の開口率に応じて、外光が当該表示素子を透過する際の透過率である画素外光透過率を決定する。外光透過率決定部２０６は、開口率と画素外光透過率の対応関係を示す情報（関数やテーブル）を記憶しており、当該情報を用いて各表示素子の画素外光透過率を決定する。
図３に、透過率決定テーブル（開口率毎に画素外光透過率を示すテーブル）の一例を示す。一般的なＭＥＭＳシャッタ方式パネルにおいて、開口率に６０％（０．６）を乗算した値が画素外光透過率となる。図３の例では、開口率に６０％を乗算した値が画素外光透過率として設定されている。外光透過率決定部２０６では、例えば、図３に示す透過率決定テーブルを用いて各表示素子の画素外光透過率が決定される。
【００４３】
なお、表示素子の開口率（決定された開口率）に対応する画素外光透過率が透過率決定テーブルに含まれていない場合には、補間により、表示素子の開口率に対応する画素外光透過率が決定される。例えば、以下の式１（線形補間式）を用いた線形補間により、透過率決定テーブルに含まれている開口率と画素外光透過率から、表示素子の開口率に対応する画素外光透過率が算出される。式１において、Ｓｇは、表示素子の開口率であり、透過率決定テーブルに含まれていない開口率である。ＳａとＳｂは、透過率決定テーブルに含まれている開口率であり、ＳａはＳｇより小さく、ＳｂはＳｇより大きい。Ｐａは、透過率決定テーブルに含まれている画素外光透過率であり、Ｓａに対応する画素外光透過率である。Ｐｂは、透過率決定テーブルに含まれている画素外光透過率であり、Ｓｂに対応する画素外光透過率である。Ｐｇは、Ｓｇに対応する画素外光透過率であり、透過率決定テーブルに含まれていない画素外光透過率である。
Ｐｇ＝（（Ｐｂ−Ｐａ）÷（Ｓｂ−Ｓａ））×（Ｓｇ−Ｓａ）＋Ｐａ
・・・（式１）
【００４４】
なお、ＳｇとＳａの差、及び、ＳｇとＳｂの差が小さいほど高い精度でＰｇを算出することができる。そのため、Ｓａは、Ｓｇより小さい開口率（透過率決定テーブルに含まれている開口率）のうち、Ｓｇに最も近い開口率であることが好ましく、Ｓｂは、Ｓｇより大きい開口率のうち、Ｓｇに最も近い開口率であることが好ましい。
なお、補間による画素外光透過率の決定方法は上記方法に限らない。例えば、線形補間ではなく、非線形補間により画素外光透過率が決定されてもよい。具体的には、透過率決定テーブルに含まれている開口率のうち表示素子の開口率に最も近い開口率に対応する画
素外光透過率が、表示素子の開口率に対応する画素外光透過率として決定されてもよい。また、透過率決定テーブルに含まれている開口率と画素外光透過率の対応関係を示す１次または高次の関数（開口率の変化に対する画素外光透過率の変化を示す近似関数）を用いて、表示素子の開口率に対応する画素外光透過率が算出されてもよい。表示素子の開口率に６０％を乗算することにより、表示素子の開口率に対応する画素外光透過率が算出されてもよい。
なお、開口率を決定せずに、画素値から画素外光透過率が決定されてもよい。例えば、画素値と画素外光透過率の対応関係を示す情報（関数やテーブル）を用いて、画素値から画素外光透過率が決定されてもよい。
【００４５】
次に、外光透過率決定部２０６は、表示素子毎の画素外光透過率の代表値を外光透過率として決定する。本実施例では、ＢＬ光センサ２１０の前面に設けられた表示素子とその周囲の表示素子との画素外光透過率の平均値が、外光透過率として算出される。換言すれば、（画面と平行な面において、）ＢＬ光センサ２１０からの距離が所定値以下の範囲内に存在する２つ以上（水平方向ｘ個×垂直方向ｙ個）の表示素子の画素外光透過率の平均値が、外光透過率として算出される。即ち、以下の式２を用いて外光透過率Ｐａｒｅａが算出される。式２において、Ｐｘｙは、ＢＬ光センサ２１０からの距離が所定値以下の範囲内に存在する表示素子の画素外光透過率である。
Ｐａｒｅａ＝（ΣＰｘｙ）÷（ｘ×ｙ）  ・・・（式２）
そして、外光透過率決定部２０６は、算出した外光透過率Ｐａｒｅａを、影響度合い決定部２０８へ出力する。
【００４６】
なお、代表値は平均値に限らない。代表値は、最大値、最小値、最頻値、中間値、などであってもよい。
なお、全ての画素外光透過率の代表値が画素外光透過率として決定されてもよい。
なお、本実施例では、画像データから画素外光透過率を決定し、画素外光透過率から外光透過率を決定する例を説明したが、外光透過率の決定方法はこれに限らない。外光は画像データの明るさが明るいほど高い透過率で表示パネルを透過するため、画像データの明るさが明るいほど高い値が外光透過率として決定されればよい。例えば、画像データの全体の明るさが判断され、画像データの明るさと外光透過率との対応関係を示す情報（テーブルや関数）を用いて、判断された明るさから外光透過率が決定されてもよい。
【００４７】
次に、本実施例に係る影響度合いの決定方法について説明する。
影響度合い決定部２０８は、外光センサ２０７の検出値である外光検出値と外光透過率決定部２０６で決定された外光透過率とから、表示パネルを透過した後の外光の明るさを示す透過外光値を決定する。本実施例では、外光センサ２０７の検出値である外光検出値と、外光透過率決定部２０６で決定された外光透過率との積が、透過外光値として算出される。そして、影響度合い決定部２０８は、算出した透過外光値に応じて、透過外光値が大きいほど大きい値を、影響度合いとして決定する。具体的には、影響度合い決定部２０８は、透過外光値と影響度合いの対応関係を示す情報（関数やテーブル）を記憶しており、当該情報を用いて透過外光値から影響度合いを決定する。
図４に、影響度合い決定テーブル（透過外光値毎に影響度合いを示すテーブル）の一例を示す。図４は、透過外光値から輝度値（ＢＬ光検出値）への変換効率を７８％（０．７８）とした場合の例を示している。即ち、図４の例では、透過外光値に７８％を乗算した値が影響度合いとして設定されている。影響度合い決定部２０８では、例えば、図４に示す影響度合い決定テーブルを用いて影響度合いが決定される。
【００４８】
なお、算出された透過外光値に対応する影響度合いが影響度合い決定テーブルに含まれ
ていない場合には、補間により、算出された透過外光値に対応する影響度合いが決定される。例えば、以下の式３（線形補間式）を用いた線形補間により、影響度合い決定テーブルに含まれている透過外光値と影響度合いから、算出された透過外光値に対応する影響度合いが算出される。式３において、Ｔｇは、算出された透過外光値であり、影響度合い決定テーブルに含まれていない透過外光値である。ＴａとＴｂは、影響度合い決定テーブルに含まれている透過外光値であり、ＴａはＴｇより小さく、ＴｂはＴｇより大きい。Ｎａは、影響度合い決定テーブルに含まれている影響度合いであり、Ｔａに対応する影響度合いである。Ｎｂは、影響度合い決定テーブルに含まれている影響度合いであり、Ｔｂに対応する影響度合いである。Ｎｇは、Ｔｇに対応する影響度合いであり、影響度合い決定テーブルに含まれていない影響度合いである。
Ｎｇ＝（（Ｎｂ−Ｎａ）÷（Ｔｂ−Ｔａ））×（Ｔｇ−Ｔａ）＋Ｎａ
・・・（式３）
【００４９】
なお、ＴｇとＴａの差、及び、ＴｇとＴｂの差が小さいほど高い精度でＮｇを算出することができる。そのため、Ｔａは、Ｔｇより小さい透過外光値（影響度合い決定テーブルに含まれている透過外光値）のうち、Ｔｇに最も近い透過外光値であることが好ましく、Ｔｂは、Ｔｇより大きい透過外光値のうち、Ｔｇに最も近い透過外光値であることが好ましい。
なお、補間による影響度合いの決定方法は上記方法に限らない。例えば、線形補間ではなく、非線形補間により影響度合いが決定されてもよい。具体的には、影響度合い決定テーブルに含まれている透過外光値のうち算出された透過外光値に最も近い透過外光値に対応する影響度合いが、算出された透過外光値に対応する影響度合いとして決定されてもよい。また、影響度合い決定テーブルに含まれている透過外光値と影響度合いの対応関係を示す１次または高次の関数（透過外光値の変化に対する影響度合いの変化を示す近似関数）を用いて、算出された透過外光値に対応する影響度合いが算出されてもよい。算出された透過外光値に７８％を乗算することにより、算出された透過外光値に対応する影響度合いが算出されてもよい。
なお、透過外光値の決定方法は、外光検出値に外光透過率を乗算する方法に限らない。例えば、外光検出値と外光透過率の組み合わせと透過外光値との対応関係を示す情報（テーブルや関数）を用いて透過外光値が決定されてもよい。
なお、透過外光値を決定せずに、外光検出値と外光透過率の組み合わせから影響度合いが決定されてもよい。例えば、外光検出値と外光透過率の組み合わせと影響度合いとの対応関係を示す情報（関数やテーブル）を用いて、外光検出値と外光透過率の組み合わせから影響度合いが決定されてもよい。
【００５０】
次に、本実施例に係る表示装置の動作について図５を用いて説明する。
図５は、本実施例に係る表示装置の動作の一例を示すフローチャートである。
【００５１】
まず、外光透過率決定部２０６が、画像処理部２０３から取得した画像データに基づいて外光透過率を決定し、影響度合い決定部２０８へ出力する（Ｓ５００）。
次に、影響度合い決定部２０８が、外光透過率決定部２０６から取得した外光透過率と外光センサ２０７から取得した外光検出値とに基づいて影響度合いを決定し、黒挿入実施判断部２０９へ出力する（Ｓ５０１）。
そして、黒挿入実施判断部２０９が、影響度合い決定部２０８から取得した影響度合いが要否判断閾値以下か否かを判断する（Ｓ５０２）。本実施例では要否判断閾値は１６であるため、取得された影響度合いが１６以下か否かが判断される。影響度合いが要否判断閾値１６以下である場合にはＳ５０３に処理が進められ、影響度合いが要否判断閾値１６より大きい場合にはＳ５０５に処理が進められる。
【００５２】
Ｓ５０３では、黒挿入実施判断部２０９が、黒挿入部２０４に黒挿入非実施要求を出力する。また、黒挿入実施判断部２０９は、バックライト制御部２１１に黒挿入非実施通知を出力する。
そして、黒挿入部２０４が、黒挿入実施判断部２０９から取得した黒挿入非実施要求に従って、黒挿入を実施せずに画像データを表示パネル２０５に出力する処理を行う（Ｓ５０４）。このとき、バックライト制御部２１１は、黒挿入実施判断部２０９から取得した黒挿入非実施通知に従って、ＢＬ光センサ２１０から取得したＢＬ光検出値が第２の目標値と一致するように、バックライト２１２の発光輝度をフィードバック制御する。
【００５３】
Ｓ５０５では、黒挿入実施判断部２０９が、黒挿入部２０４に黒挿入実施要求を出力する。また、黒挿入実施判断部２０９は、バックライト制御部２１１に黒挿入実施通知を出力する。
そして、黒挿入部２０４が、黒挿入実施判断部２０９から取得した黒挿入実施要求に従って、黒挿入を実施して画像データを表示パネル２０５に出力する処理を行う（Ｓ５０６）。このとき、バックライト制御部２１１は、黒挿入実施判断部２０９から取得した黒挿入実施通知に従って、ＢＬ光センサ２１０から取得したＢＬ光検出値が第１の目標値と一致するように、バックライト２１２の発光輝度をフィードバック制御する。
【００５４】
以上述べたように、本実施例によれば、外光の明るさと入力画像データの明るさとの両方を考慮して黒挿入が行われる。具体的には、入力画像データに基づいて外光透過率が決定され、外光検出値と外光透過率に基づいてＢＬ光検出値に対する外光の影響度合いが決定される。そして、影響度合いが閾値以下の場合には黒挿入は行われずに、影響度合いが閾値より大きい場合に黒挿入が行われる。それにより、本実施例では、バックライトから発せられた光を高精度に検出でき、且つ、バックライトの消費電力を低減することができる。具体的には、外光が暗い場合や入力画像データの明るさが暗い場合などにおいて、黒挿入を行わないことにより消費電力を低減することができる。なお、外光が暗い場合や入力画像データの明るさが暗い場合には、黒挿入を行わなくてもバックライトからの光を高精度に検出することができる。また、外光が明るい場合や入力画像データの明るさが明るい場合などのように黒挿入を行わなければバックライトからの光を高精度に検出できない場合において、黒挿入を行うことによりバックライトからの光を高精度に検出することができる。
なお、本実施例では、画像データに基づいて外光透過率が決定される例を説明したが、外光透過率の代わりに所定値（表示パネルの光利用効率など）が使用されてもよい。
【００５５】
＜実施例２＞
以下に、本発明の実施例２に係る表示装置及びその制御方法について説明する。
実施例１では、要否判断閾値の具体的な決定方法について詳しく説明しなかった。本実施例では、要否判断閾値の決定方法の一例について詳しく説明する。
【００５６】
図６は、本実施例に係る表示装置６００の構成を示すブロック図である。
なお、実施例１（図２）と同じ機能部には同じ符号を付し、その説明は省略する。
【００５７】
表示輝度決定部６０３は、表示輝度に対応する輝度設定値を決定し、決定した輝度設定値をバックライト制御部６０２に出力する。本実施例では、ユーザ操作に応じて輝度設定値が決定される。例えば、表示輝度決定部６０３は、輝度設定値を決定するためのグラフィック画像（ＯＳＤ（Ｏｎ  Ｓｃｒｅｅｎ  Ｄｉｓｐｌａｙ）画像など）を表示パネル２０５に表示させる。そして、表示輝度決定部６０３は、上記グラフィック画像に対するユーザ操作（例えば、グラフィック画像が含む操作スイッチに対するユーザ操作）に応じて、輝度設定値を決定する。
なお、本実施例ではユーザ操作に応じて輝度設定値が決定されるものとしたが、これに限らない。例えば、入力画像データの明るさ、入力画像データの種類（イラスト、電子写真、静止画、動画、など）、などに応じて輝度設定値が決定されてもよい。
【００５８】
バックライト制御部６０２は、ＢＬ光検出値の目標値であるＢＬ光目標値を決定する（第３決定）。具体的には、バックライト制御部６０２には、輝度設定値とＢＬ光目標値の対応関係を示す情報（テーブルや関数）が予め記録されている。そして、バックライト制御部６０２は、表示輝度決定部６０３から取得した輝度設定値に対応するＢＬ光目標値を、上記情報から取得する。本実施例では、輝度設定値（輝度設定値によって示される輝度）が大きいほど大きいＢＬ光目標値が決定される。
そして、バックライト制御部６０２は、決定（取得）したＢＬ光目標値を黒挿入実施判断部６０１に出力する。
また、バックライト制御部６０２は、取得したＢＬ光検出値が決定したＢＬ光目標値と一致するように、バックライト２１２の発光輝度を制御する。発光輝度の制御方法は実施例１と同じであるため、その詳細な説明は省略する。
【００５９】
なお、ＢＬ光目標値を決定する処理は、バックライト制御部６０２とは異なる機能部によって行われてもよい。例えば、表示装置６００がＢＬ光目標値を決定する決定部をさらに有していてもよい。
なお、輝度設定値を決定せずに、ユーザ操作、入力画像データの明るさ、入力画像データの種類、などに応じてＢＬ光目標値が決定されてもよい。
【００６０】
黒挿入実施判断部６０１は、バックライト制御部６０２から取得したＢＬ光目標値に基づいて、要否判断閾値を決定する（第４決定）。本実施例では、ＢＬ光目標値が大きいほど大きい値が、要否判断閾値として決定される。即ち、本実施例では、輝度設定値が大きいほど大きい値が、要否判断閾値として決定される。
そして、黒挿入実施判断部６０１は、取得した影響度合いと決定した要否判断閾値とを用いて、黒挿入の要否を判断する。黒挿入の要否の判断方法は実施例１と同じであるため、その詳細な説明は省略する。
黒挿入の要否の判断後、黒挿入実施判断部６０１は、黒挿入実施判断部２０９と同様に、判断結果に応じた要求や通知を出力する。
【００６１】
本実施例では、黒挿入実施判断部６０１は、以下の式４を用いて、要否判断閾値Ｋを算出する。即ち、バックライト制御部６０２から取得したＢＬ光目標値Ｌに外光影響許容値Ｍを乗算することにより、要否判断閾値Ｋが算出される。
Ｋ＝Ｌ×Ｍ  ・・・（式４）
外光影響許容値は、ＢＬ光検出値に対応する明るさ（ＢＬ光センサ２１０で検出された光の明るさ）に対する、許容可能な外光の明るさ（透過外光値によって示された明るさ）の割合を示す値である。本実施例では、外光影響許容値として、５％（０．０５）が使用される。そのため、ＢＬ光目標値の５％の値が要否判断閾値として算出される。そして、取得された影響度合いがＢＬ光目標値の５％の値より大きい場合に、黒挿入が必要であると判断され、取得された影響度合いがＢＬ光目標値の５％の値以下である場合に、黒挿入が不要であると判断される。その結果、フィードバック制御後のバックライトの発光輝度や表示輝度が所望の値の５％以下の誤差を含むことが許容されることとなる。
【００６２】
なお、本実施例では、外光影響許容値を０．０５としたが、外光影響許容値は０．０５より大きくても小さくてもよい。外光影響許容値は、メーカ等によって予め定められた固定値であってもよいし、ユーザが変更可能な値であってもよい。
なお、要否判断閾値の決定方法は上記方法に限らない。ＢＬ光目標値が大きいほど大きい要否判断閾値が得られれば、要否判断閾値はどのように決定されてもよい。例えば、ＢＬ光目標値と要否判断閾値の対応関係を示すテーブルを用いて、ＢＬ光目標値から要否判断閾値が決定されてもよい。
なお、要否判断閾値を決定する処理は、黒挿入実施判断部６０１とは異なる機能部によって行われてもよい。例えば、表示装置６００が要否判断閾値を決定する決定部をさらに有していてもよい。
【００６３】
次に、本実施例に係る表示装置の動作について図７を用いて説明する。
図７は、本実施例に係る表示装置の動作の一例を示すフローチャートである。
まず、表示輝度決定部６０３が、ユーザ操作に応じて輝度設定値を決定し、決定した輝度設定値をバックライト制御部６０２へ出力する。そして、バックライト制御部６０２が、取得した輝度設定値に応じてＢＬ光目標値を決定し、決定したＢＬ光目標値を黒挿入実施判断部６０１へ出力する（Ｓ７００）。
次に、黒挿入実施判断部６０１が、取得したＢＬ光目標値に応じて要否判断閾値を決定する（Ｓ７０１）。そして、Ｓ７０２へ処理が進められる。
Ｓ７０２〜Ｓ７０８の処理は、実施例１で説明した図５におけるＳ５００〜Ｓ５０６の処理と同じであるため、その説明は省略する。
【００６４】
以上述べたように、本実施例によれば、ＢＬ光目標値に応じて要否判断閾値が決定される。具体的には、ＢＬ光目標値が大きいほど大きい値が、要否判断閾値として決定される。バックライトの発光輝度が高い場合には、透過外光値（透過外光値によって示される外光の明るさ）が大きくても、フィードバック制御後のバックライトの発光輝度や表示輝度の誤差は、画質の劣化として知覚されず、ユーザに違和感を与えない。そのため、ＢＬ光目標値が大きいほど、許容可能な透過外光値は大きくなる。その結果、ＢＬ光目標値が大きいほど大きい要否判断閾値を用いることにより、黒挿入の要否をより精度良く判断することができ、バックライトの消費電力を実施例１よりも低減することができる。具体的には、フィードバック制御後のバックライトの発光輝度や表示輝度の誤差が画質の劣化として知覚されない場合に、黒挿入を省略することができ、バックライトの消費電力を実施例１よりも低減することができる。
【００６５】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００６６】
１００，２０７  外光センサ
１０２，２０５  表示パネル
１０４，２１２  バックライト
１０５，２１０  ＢＬ光センサ
２００，６００  表示装置
２０４  黒挿入部
２０６  外光透過率決定部
２０８  影響度合い決定部
２０９，６０１  黒挿入実施判断部
【図１】
2015121716.tif 000003
【図２】
2015121716.tif 000004
【図３】
2015121716.tif 000005
【図４】
2015121716.tif 000006
【図５】
2015121716.tif 000007
【図６】
2015121716.tif 000008
【図７】
2015121716.tif 000009